(57)【要約】【課題】内視鏡の可撓性挿入部内に挿通配置されている案内管路内に外套シース側のチャンネルチューブが挿通された二重管構造部分において、小さな曲率半径で屈曲されても他の内蔵物を破損させるような強い突っ張り力が発生しない耐久性の優れた外套シース付内視鏡を提供すること。【解決手段】チャンネルチューブ２３の案内管路１７の基端から引き出された部分に接続された分岐部材３０を、チャンネルチューブ２３の軸線方向にスライド自在に操作部１５の外面部分に支持して、チャンネルチューブ２３が案内管路１７に対して軸線方向に移動したとき、それに伴って分岐部材３０が操作部１５の外面部分に沿ってスライドするようにした。【選択図】      図１
2004254822.tif 000002
【特許請求の範囲】
【請求項１】
先端に観察窓が設けられて基端側に操作部が連結された可撓性挿入部内に、上記可撓性挿入部の先端側と基端側とにおいて開口する案内管路が挿通配置され、上記可撓性挿入部を外部環境から絶縁するために上記可撓性挿入部に着脱自在に被覆される外套シース内に、一端が上記外套シースの先端部分に取り付けられ、他端が上記案内管路内に通されて上記案内管路の基端から引き出される可撓性のチャンネルチューブが挿通配置された外套シース付内視鏡において、
上記チャンネルチューブの上記案内管路の基端から引き出された部分に接続された分岐部材を、上記チャンネルチューブの軸線方向にスライド自在に上記操作部の外面部分に支持して、上記チャンネルチューブが上記案内管路に対して軸線方向に移動したとき、それに伴って上記分岐部材が上記操作部の外面部分に沿ってスライドするようにしたことを特徴とする外套シース付内視鏡。
【発明の詳細な説明】
【０００１】
【発明の属する技術分野】
この発明は、体内に挿入される可撓性挿入部が体内の汚液に直接接触しないように、可撓性挿入部に外套シースを着脱自在に被覆して、外套シースだけを使い捨てできるようにした外套シース付内視鏡に関する。
【０００２】
【従来の技術】
外套シース付内視鏡において、流体や処置具等を通すためのチャンネルチューブ（例えば処置具挿通チャンネル）は体内の汚液と接触するので外套シース側に設けなければならない。
【０００３】
そこで従来の外套シース付内視鏡においては、チャンネルチューブの一端を外套シースの先端部分に取り付けて他端側は外套シースの基端から長く引き出し、チャンネルチューブから分岐する処置具挿入口を外套シースの基端部に設けている（例えば、特許文献１）。
【０００４】
【特許文献１】
特開平４−３５７９２０号公報、図６
【０００５】
【発明が解決しようとする課題】
上述のような従来の外套シース付内視鏡においては、外套シースの基端部分に処置具挿入口が固定的に設けられていて、チャンネルチューブがその部分に固着されている。
【０００６】
そのような構造は、特許文献１に記載された外套シース付内視鏡のように、チャンネルチューブが可撓性挿入部の外面に沿って配置されている場合は特に問題にはならない。
【０００７】
しかし、チャンネルチューブを可撓性挿入部の外面に沿って配置する構成をとると、可撓性挿入部の外表面に全長にわたって凹溝を形成する必要がある等、可撓性挿入部を製造する上で困難性が大きい。
【０００８】
そこで、チャンネルチューブを通すための案内管路を内視鏡の可撓性挿入部内に挿通配置する構造をとるのが現実的で望ましいが、そのようにすると、チャンネルチューブと案内管路とが二重管構造になる。
【０００９】
すると、可撓性挿入部が小さな曲率半径で曲げられたり、可撓性挿入部の先端部分に形成された湾曲部が屈曲操作されたりして、チャンネルチューブが先端部分と処置具挿入口との間で突っ張った状態になった時に非常に強い突っ張り力が発生し、チャンネルチューブと並んで配置されている光学繊維束等他の内蔵物を破損させてしまう場合がある。
【００１０】
そこで本発明は、内視鏡の可撓性挿入部内に挿通配置されている案内管路内に外套シース側のチャンネルチューブが挿通された二重管構造部分において、小さな曲率半径で屈曲されても他の内蔵物を破損させるような強い突っ張り力が発生しない耐久性の優れた外套シース付内視鏡を提供することを目的とする。
【００１１】
【課題を解決するための手段】
上記の目的を達成するため、本発明の外套シース付内視鏡は、先端に観察窓が設けられて基端側に操作部が連結された可撓性挿入部内に、可撓性挿入部の先端側と基端側とにおいて開口する案内管路が挿通配置され、可撓性挿入部を外部環境から絶縁するために可撓性挿入部に着脱自在に被覆される外套シース内に、一端が外套シースの先端部分に取り付けられ、他端が案内管路内に通されて案内管路の基端から引き出される可撓性のチャンネルチューブが挿通配置された外套シース付内視鏡において、チャンネルチューブの案内管路の基端から引き出された部分に接続された分岐部材を、チャンネルチューブの軸線方向にスライド自在に操作部の外面部分に支持して、チャンネルチューブが案内管路に対して軸線方向に移動したとき、それに伴って分岐部材が操作部の外面部分に沿ってスライドするようにしたものである。
【００１２】
【発明の実施の形態】
図面を参照して本発明の実施例を説明する。
図２において、１０は内視鏡、２０は、内視鏡１０の可撓性挿入部１１，１２，１３に着脱自在に被覆される外套シース、３０は、内視鏡１０の操作部１５の外面部分に着脱自在に取り付けられる吸引アダプタ（分岐部材）、４０は吸引チューブである。
【００１３】
内視鏡１０の可撓性挿入部１１，１２，１３は、遠隔操作によって屈曲する湾曲部１２が細長い可撓管１１の先端に連結され、観察窓１４等が配置された先端部本体１３が湾曲部１２の先端に連結されて構成されている。
【００１４】
可撓管１１の基端に連結された操作部１５には、湾曲部１２を遠隔的に屈曲操作する湾曲操作ノブ１６等が配置されており、湾曲操作ノブ１６を回転操作することによって湾曲部１２が二点鎖線で示されるように屈曲する。
【００１５】
可撓管１１と湾曲部１２の内部には、中心軸線から偏位した位置に、例えば可撓性のポリエチレン樹脂チューブからなる案内チューブ１７が全長にわたって挿通配置されており、その先端開口１７ａは先端部本体１３に形成され、基端開口１７ｂは、可撓管１１と操作部１５との連結部付近で操作部１５の外面に沿う方向に向けて開口形成されている。
【００１６】
外套シース２０には、例えばシリコンゴムチューブ等のような伸縮性のある材料によって薄肉円筒状に形成された被覆チューブ２１が、内視鏡１０の可撓管１１と湾曲部１２に着脱自在に被覆されるように設けられ、その先端には透明な部材により形成されて先端部本体１３部分に被嵌される先端キャップ２２が水密に取り付けられている。
【００１７】
被覆チューブ２１の基端に固着された連結環２４は操作部１５と可撓管１１との連結部１９に対して係脱自在になっていて、手動固定ネジ２５を締め付けることにより連結部１９に任意に固定することができる。
【００１８】
被覆チューブ２１内には、例えば可撓性の四フッ化エチレン樹脂チューブ等からなるチャンネルチューブ２３が全長にわたって挿通配置されており、チャンネルチューブ２３の先端は先端キャップ２２の先端面において外面に開口するように先端キャップ２２に接続・固着され、チャンネルチューブ２３の基端部分は連結環２４内を通って後方に延出している。
【００１９】
このチャンネルチューブ２３は内視鏡１０の案内チューブ１７内に全長にわたって挿脱自在であり、チャンネルチューブ２３の基端部分を案内チューブ１７に先端開口１７ａ側から差し込んで基端開口１７ｂから長く引き出すことができる。
【００２０】
基端開口１７ｂから引き出されるチャンネルチューブ２３の基端寄りの部分には、チャンネルチューブ２３の長手方向に沿う細長い側孔２３ａが穿設されており、吸引アダプタ３０内にチャンネルチューブ２３を通すと、側孔２３ａが吸引アダプタ３０内に位置するようになっている。
【００２１】
３８は、チャンネルチューブ２３を吸引アダプタ３０に固定するための手動固定ネジ、１８は、吸引アダプタ３０をスライド自在に支持するために操作部１５の外壁面に形成されたレール溝である。
【００２２】
図３は、図２に示されるＩＩＩ−ＩＩＩ断面におけるチャンネルチューブ２３の断面図であり、この実施例のチャンネルチューブ２３には、処置具通過路兼吸引路２３Ｓと送気路２３Ａと送水路２３Ｗの三つの孔路が並んで形成されたマルチルーメンチューブであり、側孔２３ａは処置具通過路兼吸引路２３Ｓに対して通じている。なお、チャンネルチューブ２３の基端（自由端）と側孔２３ａとの間では、処置具通過路兼吸引路２３Ｓは閉塞されている。
【００２３】
図１は、内視鏡１０の可撓性挿入部１１，１２，１３に外套シース２０が被せられ、吸引アダプタ３０が操作部１５に取り付けられた使用状態を示しており、手動固定ネジ２５が締め付けられて外套シース２０の連結環２４が連結部１９に固定されている。
【００２４】
その結果、外套シース２０によって内視鏡１０の可撓性挿入部１１，１２，１３が外部環境から絶縁され、被覆チューブ２１が軸線方向に弾力的に引き伸ばされて、先端キャップ２２が先端部本体１３の先端面に密着した状態になっている。
【００２５】
そして、吸引チューブ４０が吸引アダプタ３０に接続され、チャンネルチューブ２３の外套シース２０から引き出されている部分が、吸引アダプタ３０に通されて手動固定ネジ３８で吸引アダプタ３０に固定されている。
【００２６】
吸引アダプタ３０に通して引き出されたチャンネルチューブ２３の基端部は、操作部１５に配置された接続装置５０において送気送水分離チューブ５１に接続されている。
【００２７】
図４は、吸引アダプタ３０の構成を示しており、吸引アダプタ３０には、チャンネルチューブ２３が通されるチャンネルチューブ通過孔３２が真っ直ぐに貫通形成されている。
【００２８】
チャンネルチューブ通過孔３２の中間部分から斜め方向に分岐する方向に処置具差込孔３３が形成されていて、さらにその処置具差込孔３３の途中から分岐して外方に突出する吸引口金３６に吸引チューブ４０が接続されている。処置具差込孔３３の突端部は処置具挿入口３４になっていて、そこにシール機能を有するゴム製の鉗子栓３５が取り付けられている。
【００２９】
そして、チャンネルチューブ通過孔３２内を通過するチャンネルチューブ２３に形成されている側孔２３ａは、チャンネルチューブ通過孔３２部分における処置具差込孔３３の開口を臨む状態に位置している。
【００３０】
そのような側孔２３ａの前後位置には、チャンネルチューブ通過孔３２とチャンネルチューブ２３との間の隙間をシールするためのゴム製の一対のＯリング３７が配置されていて、吸引アダプタ３０の内部が吸引チューブ４０内とチャンネルチューブ２３の処置具通過路兼吸引路２３Ｓ以外の部分と通気しないようになっている。
【００３１】
また、一方のＯリング３７を軸線方向に押圧する手動固定ネジ３８がチャンネルチューブ通過孔３２の口元部分に螺合していて、チャンネルチューブ２３をチャンネルチューブ通過孔３２に通して手動固定ネジ３８を締め込むことにより、Ｏリング３７が押し潰されてチャンネルチューブ２３を外面側から締め付ける。
【００３２】
その結果、チャンネルチューブ２３が吸引アダプタ３０に固定された状態になり、手動固定ネジ３８を緩めれば吸引アダプタ３０とチャンネルチューブ２３との固定状態を解除することができるようになっている。
【００３３】
吸引アダプタ３０の底部（操作部１５に面する側の部分）の前後両端部分には、操作部１５に形成されたレール溝１８と係合する足部３１Ａ，３１Ｂが突設されている。なお、この実施例においては前側の足部３１Ａより後側の足部３１Ｂの方が前後方向（チャンネルチューブ２３の走行方向と平行方向）に長く形成されている。
【００３４】
足部３１Ａ，３１Ｂは、Ｖ−Ｖ断面を図示する図５に示されるように、操作部１５の外壁面部分に奥側の方が幅広の断面形状に形成されたレール溝１８に合わせて、台形状の（即ち、先の方が幅広の）断面形状に形成され、レール溝１８にスライド自在に嵌め込まれて支持されている。
【００３５】
レール溝１８は、その平面図である図６に示されるように、チャンネルチューブ２３の走行方向と平行方向に長く真っ直ぐに操作部１５の外壁面部分に形成されており、その長さは例えば吸引アダプタ３０の前後方向の長さの二倍程度である。
【００３６】
したがって、図１に矢印Ａで示されるように、吸引アダプタ３０はチャンネルチューブ２３の走行方向と平行方向に一定の範囲（レール溝１８の全長と吸引アダプタ３０の長さとの差の範囲）で自由にスライドすることができ、その方向以外への移動はレール溝１８との係合によって規制されているので、操作部１５から外れるようなことはない。
【００３７】
図６に示される１８Ａと１８Ｂは、吸引アダプタ３０の二つの足部３１Ａ，３１Ｂをレール溝１８に係脱させる際に足部３１Ａ，３１Ｂを通すための二つの切り欠きである。
【００３８】
二つの切り欠き１８Ａ，１８Ｂは、二つの足部３１Ａ，３１Ｂの長さに合わせて、前側の切り欠き１８Ａの長さＭより後側の切り欠き１８Ｂの長さＮを長く形成してある。即ち、Ｍ＜Ｎである。したがって、後側の足部３１Ｂが前側の切り欠き１８Ａを通ってレール溝１８から脱落するようなことがない。
【００３９】
このように構成された実施例の外套シース付内視鏡においては、吸引チューブ４０から吸引をすれば、その吸引力が処置具差込孔３３から側孔２３ａを介してチャンネルチューブ２３の処置具通過路兼吸引路２３Ｓに作用し、処置具通過路兼吸引路２３Ｓを通じて体内汚液等を吸引することができる。
【００４０】
また、図４に示されるように処置具挿入口３４から処置具１００を差し込めば、その処置具１００が処置具差込孔３３からチャンネルチューブ２３の側孔２３ａを経由して処置具通過路兼吸引路２３Ｓ内に挿入され、体内組織の採取その他の内視鏡的処置を行うことができる。
【００４１】
そして、チャンネルチューブ２３の基端寄りの部分が挿通・固定される吸引アダプタ３０が操作部１５のレール溝１８に沿ってチャンネルチューブ２３の走行方向にスライド自在なので、湾曲部１２が屈曲操作されたり可撓管１１が曲げられてチャンネルチューブ２３に負荷がかかると、チャンネルチューブ２３が吸引アダプタ３０と共に軸線方向に移動して負荷が吸収される。
【００４２】
その結果、可撓管１１内及び湾曲部１２内において、案内チューブ１７内にチャンネルチューブ２３が通された二重管構造部分に強い突っ張り力が発生せず、例えば光学繊維束等のような他の内蔵物を破損するおそれが少ない。
【００４３】
なお、本発明は上記実施例に限定されるものではなく、例えば、上記実施例においてはレール溝１８と足部３１Ａ，３１Ｂにより操作部１５と吸引アダプタ３０とを係合させたが、吸引アダプタ３０を操作部１５に対してスライド自在に（但し外れないように）支持する機構であればどのようなものを用いても差し支えない。
【００４４】
【発明の効果】
本発明によれば、チャンネルチューブの案内管路の基端から引き出された部分に接続された分岐部材を、チャンネルチューブの軸線方向にスライド自在に操作部の外面部分に支持して、チャンネルチューブが案内管路に対して軸線方向に移動したとき、それに伴って分岐部材が操作部の外面部分に沿ってスライドするようにしたことにより、可撓性挿入部が小さな曲率半径で屈曲されても他の内蔵物を破損させるような強い突っ張り力が発生せず、優れた耐久性を得ることができる。
【図面の簡単な説明】
【図１】本発明の実施例の外套シース付内視鏡の側面図である。
【図２】本発明の実施例の外套シース付内視鏡の使用準備状態の側面一部断面図である。
【図３】本発明の実施例の図２におけるＩＩＩ−ＩＩＩ断面図である。
【図４】本発明の実施例の外套シース付内視鏡の吸引アダプタ部分の側面断面図である。
【図５】本発明の実施例の図４におけるＶ−Ｖ断面図である。
【図６】本発明の実施例の外套シース付内視鏡のレール溝部分の平面図である。
【符号の説明】
１０  内視鏡
１１  可撓管（可撓性挿入部）
１２  湾曲部（可撓性挿入部）
１３  先端部本体（可撓性挿入部）
１４  観察窓
１５  操作部
１７  案内チューブ（案内管路）
１７ｂ  基端開口
１８  レール溝
１８Ａ，１８Ｂ  切り欠き
２０  外套シース
２１  被覆チューブ
２３  チャンネルチューブ
２３ａ  側孔
２３Ｓ  処置具通過路兼吸引路
３０  吸引アダプタ（分岐部材）
３１Ａ，３１Ｂ  足部
【図１】
2004254822.tif 000003
【図２】
2004254822.tif 000004
【図３】
2004254822.tif 000005
【図４】
2004254822.tif 000006
【図５】
2004254822.tif 000007
【図６】
2004254822.tif 000008